(57)【特許請求の範囲】
【請求項１】
回転するロータと、前記ロータの回転面における前記ロータの周囲に磁束発生手段が配されたステータと、を具備するモータと、
前記ロータに装着され前記ロータの回転に伴って冷却風を生成するファンと、
前記ロータの回転軸方向に沿って前記ロータが貫通する通風開口部が設けられ前記回転軸方向における前記磁束発生手段と前記ファンとの間に配置される仕切部を有するファンガイドと、
前記ファン及び前記ファンガイドを覆い前記冷却風を外部に排出する排気口が設けられたハウジングと、
を具備する電動作業機であって、
前記通風開口部は、前記通風開口部の前記回転面上における前記回転軸を通る内径が短くされた短径方向と、前記内径が長くされた長径方向と、が設けられた形状とされ、
前記ファンガイドは、前記短径方向に沿った前記通風開口部の両外側にそれぞれ設けられた固定部に固定具を貫通させることによって、前記ハウジングに固定されることを特徴とする電動作業機。
【請求項２】
前記磁束発生手段は、前記長径方向に沿って配されたことを特徴とする請求項１に記載の電動作業機。
【請求項３】
前記ファンガイドにおける前記仕切部の前記ファンが設けられた側には、前記ファンの外周における一領域以外の領域を覆う冷却風ガイド部が設けられたことを特徴とする請求項２に記載の電動作業機。
【請求項４】
前記ロータの前記軸から見て、前記排気口が前記一領域の中に設けられたことを特徴とする請求項３に記載の電動作業機。
【請求項５】
回転するロータと、前記ロータの回転面における前記ロータの周囲に磁束発生手段が配されたステータと、を具備するモータと、
前記ロータに装着され前記ロータの回転に伴って冷却風を生成するファンと、
前記ロータの回転軸方向に沿って前記ロータが貫通する通風開口部が設けられ前記回転軸方向における前記磁束発生手段と前記ファンとの間に配置される仕切部を有するファンガイドと、
前記ファン及び前記ファンガイドを覆い前記冷却風を外部に排出する排気口が設けられたハウジングと、
を具備する電動作業機であって、
前記通風開口部は、前記通風開口部の前記回転面上における前記回転軸を通る内径が短くされた短径方向と、前記内径が長くされた長径方向と、が設けられた形状とされ、
前記磁束発生手段は、前記長径方向に沿って配され、
前記ファンガイドにおける前記仕切部の前記ファンが設けられた側には、前記ファンの外周における一領域以外の領域を覆う冷却風ガイド部が設けられ、
前記ロータの前記軸から見て、前記排気口が前記一領域の中に設けられ、
前記ファンガイドは、前記短径方向に沿った前記通風開口部の両外側にそれぞれ設けられた固定部に固定具を貫通させることによって、前記ハウジングに固定されることを特徴とする電動作業機。
【請求項６】
回転するロータと、前記ロータの回転面における前記ロータの周囲に磁束発生手段が配されたステータと、を具備するモータと、
前記ロータに装着され前記ロータの回転に伴って冷却風を生成するファンと、
前記ロータの回転軸方向に沿って前記ロータが貫通する通風開口部が設けられ前記回転軸方向における前記磁束発生手段と前記ファンとの間に配置される仕切部を有するファンガイドと、
前記ファン及び前記ファンガイドを覆い前記冷却風を外部に排出する排気口が設けられたハウジングと、
を具備する電動作業機であって、
前記通風開口部は、前記通風開口部の前記回転面上における前記回転軸を通る内径が短くされた短径方向と、前記内径が長くされた長径方向と、が設けられた形状とされ、
前記磁束発生手段は、前記長径方向に沿って配され、
前記ファンガイドにおける前記仕切部の前記ファンが設けられた側には、前記ファンの外周における一領域以外の領域を覆う冷却風ガイド部が設けられ、
前記ロータの前記軸から見て、前記排気口が前記一領域の中に設けられ、
前記ファンガイドは、前記モータが収容されるモータハウジングを介して前記ハウジングに固定されることを特徴とする電動作業機。
【請求項７】
回転するロータと、前記ロータの回転面における前記ロータの周囲に磁束発生手段が配されたステータと、を具備するモータと、
前記ロータに装着され前記ロータの回転に伴って冷却風を生成するファンと、
前記ロータの回転軸方向に沿って前記ロータが貫通する通風開口部が設けられ前記回転軸方向における前記磁束発生手段と前記ファンとの間に配置される仕切部を有するファンガイドと、
前記ファン及び前記ファンガイドを覆い前記冷却風を外部に排出する排気口が設けられたハウジングと、
を具備する電動作業機であって、
前記通風開口部は、前記通風開口部の前記回転面上における前記回転軸を通る内径が短くされた短径方向と、前記内径が長くされた長径方向と、が設けられた形状とされ、
前記磁束発生手段は、前記長径方向に沿って配され、
前記ファンガイドにおける前記仕切部の前記ファンが設けられた側には、前記ファンの外周における一領域以外の領域を覆う冷却風ガイド部が設けられ、
前記ロータの前記軸から見て、前記排気口が前記一領域の中に設けられ、
前記モータによって駆動される作業部材が前記ハウジングの前記短径方向における一方の側に設けられ、
前記一領域は、前記回転軸から見て、前記一方の側に設けられたことを特徴とする電動作業機。
【請求項８】
前記一領域は、前記電動作業機が使用される際の鉛直方向における前記ロータの下方から前記一方の側にかけて設けられ、
前記ロータが、前記下方から前記一方の側に向かうように回転することを特徴とする請求項７に記載の電動作業機。
【請求項９】
前記作業部材は、前記回転軸方向における前記ファンから見て前記磁束発生手段と反対側において前記ロータに固定された駆動歯車によって駆動されることを特徴とする請求項７又は８に記載の電動作業機。
【請求項１０】
前記作業部材は、前記ハウジングから前記一方の側に向かって延伸するガイドバーの周縁部に沿って走行するソーチェーンであることを特徴とする請求項９に記載の電動作業機。
【発明の詳細な説明】
【技術分野】
【０００１】
本発明は、モータが動力源として用いられる電動作業機、例えばチェーンソーの構造に関する。
【背景技術】
【０００２】
樹木の切断等に用いられるチェーンソーにおいては、本体から前方に延伸したガイドバーの周縁部に掛け渡されたソーチェーンが、動力源となるエンジンやモータによって駆動される。このうち、動力源としてモータを用いた場合には、作業の静粛性を高く、かつチェーンソーを軽量とすることができる。こうしたチェーンソーの構成は、例えば特許文献１に記載されている。
【０００３】
このチェーンソーにおいては、モータは、樹脂製のハウジング（カバー）で覆われて構成されたチェーンソー本体の内部に収容される。チェーンソー本体の前方には、前方に延伸するガイドバーが装着され、このガイドバーの周縁部に沿って、モータで駆動されるソーチェーンが高速で走行する。ガイドバーのチェーンソー本体に対する前後方向における取り付け位置は調整可能とされる。一方、チェーンソー本体における後側、前側には、作業者に把持されるリアハンドル、フロントハンドルがそれぞれ設けられ、リアハンドルには、このチェーンソーに外部から電力を供給するための給電コードが装着される。
【０００４】
ここで、特許文献１に記載されるように、チェーンソー本体、あるいはその外側のハウジングは、複数の樹脂製の部品（カバー）を組み合わせて構成される。これらのカバーは、モータを適切に固定でき、かつガイドバーの位置調整や脱着が容易なように構成される。
【０００５】
また、エンジンと比べると発熱量は小さいものの、運転時にモータには大電流が流されるために、モータもやはり運転時に発熱する。このため、モータの回転軸には冷却ファンが装着され、これによって生成された冷却風がチェーンソー本体内部を流れ、この冷却風はモータを冷却した後に、チェーンソー本体の外部に放出される。ハウジングは、この冷却風が円滑に流れるように構成される。
【先行技術文献】
【特許文献】
【０００６】
【特許文献１】特開２０１３−１４６９００号公報
【発明の概要】
【発明が解決しようとする課題】
【０００７】
ここで、モータを用いたチェーンソーは、エンジンを用いたチェーンソーと比べると静粛性は高いものの、実際には、作業時にはやはり騒音が発生した。この主な原因は、モータを冷却する冷却風であった。この冷却風の風量を低下させれば、騒音が低下することは明らかであるが、モータの冷却効率が低下するため、冷却風の風量を低下させることは困難であった。この際、小型のチェーンソーにおいては、冷却風の流れる経路が制限されるため、流路が狭くなった箇所において特に大きな騒音が発生した。
【０００８】
このため、小型で静粛性の高い電動作業機が望まれた。
【０００９】
本発明は、かかる問題点に鑑みてなされたものであり、上記の問題点を解決する発明を提供することを目的とする。
【課題を解決するための手段】
【００１０】
本発明は、上記課題を解決すべく、以下に掲げる構成とした。
本発明の電動作業機は、回転するロータと、前記ロータの回転面における前記ロータの周囲に磁束発生手段が配されたステータと、を具備するモータと、前記ロータに装着され前記ロータの回転に伴って冷却風を生成するファンと、前記ロータの回転軸方向に沿って前記ロータが貫通する通風開口部が設けられ前記回転軸方向における前記磁束発生手段と前記ファンとの間に配置される仕切部を有するファンガイドと、前記ファン及び前記ファンガイドを覆い前記冷却風を外部に排出する排気口が設けられたハウジングと、を具備する電動作業機であって、前記通風開口部は、前記通風開口部の前記回転面上における前記回転軸を通る内径が短くされた短径方向と、前記内径が長くされた長径方向と、が設けられた形状とされ、前記ファンガイドは、前記短径方向に沿った前記通風開口部の両外側にそれぞれ設けられた固定部に固定具を貫通させることによって、前記ハウジングに固定されることを特徴とする。
。
本発明の電動作業機において、前記磁束発生手段は、前記長径方向に沿って配されたことを特徴とする。
本発明の電動作業機において、前記ファンガイドにおける前記仕切部の前記ファンが設けられた側には、前記ファンの外周における一領域以外の領域を覆う冷却風ガイド部が設けられたことを特徴とする。
本発明の電動作業機は、前記ロータの前記軸から見て、前記排気口が前記一領域の中に設けられたことを特徴とする。
本発明の電動作業機は、回転するロータと、前記ロータの回転面における前記ロータの周囲に磁束発生手段が配されたステータと、を具備するモータと、前記ロータに装着され前記ロータの回転に伴って冷却風を生成するファンと、前記ロータの回転軸方向に沿って前記ロータが貫通する通風開口部が設けられ前記回転軸方向における前記磁束発生手段と前記ファンとの間に配置される仕切部を有するファンガイドと、前記ファン及び前記ファンガイドを覆い前記冷却風を外部に排出する排気口が設けられたハウジングと、を具備する電動作業機であって、前記通風開口部は、前記通風開口部の前記回転面上における前記回転軸を通る内径が短くされた短径方向と、前記内径が長くされた長径方向と、が設けられた形状とされ、前記磁束発生手段は、前記長径方向に沿って配され、前記ファンガイドにおける前記仕切部の前記ファンが設けられた側には、前記ファンの外周における一領域以外の領域を覆う冷却風ガイド部が設けられ、前記ロータの前記軸から見て、前記排気口が前記一領域の中に設けられ、前記ファンガイドは、前記短径方向に沿った前記通風開口部の両外側にそれぞれ設けられた固定部に固定具を貫通させることによって、前記ハウジングに固定されることを特徴とする。
本発明の電動作業機は、回転するロータと、前記ロータの回転面における前記ロータの周囲に磁束発生手段が配されたステータと、を具備するモータと、前記ロータに装着され前記ロータの回転に伴って冷却風を生成するファンと、前記ロータの回転軸方向に沿って前記ロータが貫通する通風開口部が設けられ前記回転軸方向における前記磁束発生手段と前記ファンとの間に配置される仕切部を有するファンガイドと、前記ファン及び前記ファンガイドを覆い前記冷却風を外部に排出する排気口が設けられたハウジングと、を具備する電動作業機であって、前記通風開口部は、前記通風開口部の前記回転面上における前記回転軸を通る内径が短くされた短径方向と、前記内径が長くされた長径方向と、が設けられた形状とされ、前記磁束発生手段は、前記長径方向に沿って配され、前記ファンガイドにおける前記仕切部の前記ファンが設けられた側には、前記ファンの外周における一領域以外の領域を覆う冷却風ガイド部が設けられ、前記ロータの前記軸から見て、前記排気口が前記一領域の中に設けられ、前記ファンガイドは、前記モータが収容されるモータハウジングを介して前記ハウジングに固定されることを特徴とする。
本発明の電動作業機は、回転するロータと、前記ロータの回転面における前記ロータの周囲に磁束発生手段が配されたステータと、を具備するモータと、前記ロータに装着され前記ロータの回転に伴って冷却風を生成するファンと、前記ロータの回転軸方向に沿って前記ロータが貫通する通風開口部が設けられ前記回転軸方向における前記磁束発生手段と前記ファンとの間に配置される仕切部を有するファンガイドと、前記ファン及び前記ファンガイドを覆い前記冷却風を外部に排出する排気口が設けられたハウジングと、を具備する電動作業機であって、前記通風開口部は、前記通風開口部の前記回転面上における前記回転軸を通る内径が短くされた短径方向と、前記内径が長くされた長径方向と、が設けられた形状とされ、前記磁束発生手段は、前記長径方向に沿って配され、前記ファンガイドにおける前記仕切部の前記ファンが設けられた側には、前記ファンの外周における一領域以外の領域を覆う冷却風ガイド部が設けられ、前記ロータの前記軸から見て、前記排気口が前記一領域の中に設けられ、前記モータによって駆動される作業部材が前記ハウジングの前記短径方向における一方の側に設けられ、前記一領域は、前記回転軸から見て、前記一方の側に設けられたことを特徴とする。
本発明の電動作業機において、前記一領域は、前記電動作業機が使用される際の鉛直方向における前記ロータの下方から前記一方の側にかけて設けられ、前記ロータが、前記下方から前記一方の側に向かうように回転することを特徴とする。
本発明の電動作業機において、前記作業部材は、前記回転軸方向における前記ファンから見て前記磁束発生手段と反対側において前記ロータに固定された駆動歯車によって駆動されることを特徴とする。
本発明の電動作業機において、前記作業部材は、前記ハウジングから前記一方の側に向かって延伸するガイドバーの周縁部に沿って走行するソーチェーンであることを特徴とする。
【発明の効果】
【００１１】
本発明は以上のように構成されているので、小型で静粛性の高い電動作業機を得ることができる。
【図面の簡単な説明】
【００１２】
【図１】本発明の実施の形態となるチェーンソーの斜視図（ａ）、上面図（ｂ）、下面図（ｃ）である。
【図２】本発明の実施の形態となるチェーンソーにおいて、ハウジングにモータを装着する際の組み立て斜視図である。
【図３】本発明の実施の形態となるチェーンソーにおける、ステータ、ロータ、ファンガイドの組み立て斜視図である。
【図４】本発明の実施の形態となるチェーンソーにおける、ファンガイド付近の、ロータの軸に沿った鉛直方向の断面図である。
【図５】本発明の実施の形態となるチェーンソーにおける、ファンを含む箇所のロータの軸に垂直な断面図である。
【図６】参考例となるファンガイド（ａ）、本発明の実施の形態となるチェーンソーにおいて用いられるファンガイド（ｂ）の構成を示す側面図である。
【発明を実施するための形態】
【００１３】
本発明の実施の形態となるチェーンソー（電動作業機）の構成について説明する。図１は、このチェーンソー（電動作業機）１の構成を示す斜視図（ａ）、上面図（ｂ）、下面図（ｃ）である。このチェーンソー１においては、チェーンソー本体１０の前方に、前方（一方の側）に向かって延伸するガイドバー２０が装着され、ガイドバー２０の周縁部にソーチェーン（作業部材：図示せず）が掛け渡される。チェーンソー本体１０の後方には、リアハンドル１１が、前方上側にはフロントハンドル１２が、それぞれチェーンソー本体１０と一体化されて装着される。また、フロントハンドル１２の更に前方には、衝立状のハンドガード１３が装着される。リアハンドル１１の後方からは、このチェーンソー１に対して外部から商用交流電源を供給するための給電コード１００が引き出されている。リアハンドル１１の上側の部分の下側には、動作を開始させるためのスイッチ１１Ａが装着されている。また、チェーンソー本体１０におけるガイドバー２０が装着された部分の根本には、ガイドバー２０のチェーンソー本体１０に対する固定、及びガイドバー２０の前後方向における位置調整のために用いられるテンションダイヤル１４が装着される。テンションダイヤル１４を回すことによって、ソーチェーンのガイドバー２０に対する張りを調整することができる。
【００１４】
チェーンソー本体１０は、左側のハウジング１０Ａ、右側のハウジング１０Ｂが組み合わされた構造の中に、モータ等の部品が設置されて構成される。特に、モータ等は、左側のハウジング１０Ａ中に組み付けられ、その後に右側のハウジング１０Ｂがハウジング１０Ａに装着される。図２は、ハウジング１０Ａに対してモータを装着する際の組み立て斜視図である。ここで用いられるモータ３０は、給電コード１００によって供給される商用交流電源で駆動され、ハウジング１０Ａ側に固定されるステータ３１、ステータ３１に対して回転するロータ３２を具備する。ロータ３２の回転軸（軸）は、図１で示された左右方向（第１の方向）に沿っている。
【００１５】
図２に示されるように、まず、ハウジング１０Ａには、モータハウジング４０が装着され、モータハウジング４０に対して、ステータ３１、ファンガイド４１が図１における右側から固定される。この固定は、前後の２箇所において固定用ネジ（固定具）１１０を用いて行われる。ファンガイド４１は、その左側において、ロータ３２の軸から見てステータ３１に外側から嵌合するステータ嵌合部４１Ａを具備する。ロータ３２は、ファンガイド４１を左右方向で貫通するように、これらに対して装着される。更に、この状態で右側からモータカバー４２が装着され、ロータ３２は、その左側部分がモータハウジング４０で、その右側部分がモータカバー４２で、それぞれ回転自在に支持される。ロータ３２の右側端部は、モータカバー４２から右側に突出するモータ軸３２Ａとなり、このモータ軸３２Ａに固定された駆動歯車（図示せず）が、減速機構を介してソーチェーン（作業部材）を駆動する。
【００１６】
ロータ３２においては、コイル（ロータコイル）が設けられたロータコイル部３２Ｂが左右方向における中央付近に設けられ、ロータコイルには、ロータ３２の左側部分に設けられたコミュテータを介して電流が供給される。コミュテータは、モータハウジング４０に固定されたブラシ（図示せず）と接し、ブラシからコミュテータに電流が供給される。ステータ３１の上下（鉛直方向（第２の方向）に沿った２箇所）には、ロータ３２の回転面（ロータ３２の回転軸と垂直な面）上においてロータコイル部３２Ｂを挟むように、それぞれ、ロータ３２を回転駆動させるための磁束を発生させるステータコイル（磁束発生手段）３１Ａ、３１Ｂがそれぞれ固定される。この構成により、ブラシとステータコイル３１Ａ、３１Ｂに給電することによって、ロータ３２を左右方向（第１の方向）に沿った軸の周りで回転駆動することができる。
【００１７】
図３は、図２の形態におけるステータ３１、ファンガイド４１、ロータ３２を逆方向から見た組み立て斜視図である。また、図４は、モータハウジング４０、ステータ３１、ファンガイド４１、モータカバー４２が組み立てられた際の、ロータ３２の軸を含む鉛直方向の断面図であり、ここではロータ３２の記載は省略されている。図３に示されるように、ロータ３２においては、ロータコイル部３２Ｂよりも右側（モータ軸３２Ａ側）に、ファン３２Ｃが設けられている。ファン３２Ｃにおいては、その左側の面に複数のファン羽根３２Ｃ１が放射状に設けられている。このため、ファン３２Ｃは、回転することによって冷却風を中心軸側から遠心方向（径方向）に送り出す遠心ファンとして機能する。なお、ロータ３２は、動作時には右側から見て反時計回りに回転する。
【００１８】
図２に示されるように、ファンガイド４１においては、ロータ３２の軸方向（第１の方向）に垂直な板状のファンガイド仕切板（仕切部）４１Ｂが設けられ、その左側に前記のステータ嵌合部４１Ａが設けられる。ファンガイド仕切板４１Ｂの右側には、ロータ３２が装着された際にファン３２Ｃを外側から覆う冷却風ガイド部４１Ｃを具備する。ファンガイド仕切板４１Ｂと冷却風ガイド部４１Ｃが組み合わされることによって、ファン３２Ｃで生成された冷却風は、このモータ３０を冷却した後に外部に放出されるまでハウジング１０内を円滑に流れる。
【００１９】
図４においてロータ３２は記載されていないが、ロータコイル部３２Ｂは、ファンガイド仕切板４１Ｂの左側で上下方向においてステータコイル３１Ａ、３１Ｂに挟まれるように位置する。また、ファン３２Ｃは、ファンガイド仕切板４１Ｂの右側に位置する。この状態でステータ３１側に冷却風を流すために、ファンガイド仕切板４１Ｂには、これを左右方向（第１の方向）で貫通する通風開口部４１Ｄが設けられている。通風開口部４１Ｄの内径は少なくともロータコイル部３２Ｂが通風開口部４１Ｄを貫通できるように設定されるため、図２、３に示されるようにロータ３２等を組み付けることができる。
【００２０】
この際、図３に示されるように、ファンガイド仕切板４１Ｂにおける通風開口部４１Ｄの前後方向（第３の方向）に沿った２箇所には、左右方向において充分な厚さとされたボス部（固定部）４１Ｅが設けられており、各ボス部４１Ｅには、固定用ネジ１１０が左右方向に貫通する固定用ネジ貫通孔４１Ｆが形成されている。これに対応して、ステータ３１にも、固定用ネジ貫通孔４１Ｆと対応する箇所に固定用ネジ貫通孔３１Ｃが設けられている。このため、右側から固定用ネジ貫通孔４１Ｆ、固定用ネジ貫通孔３１Ｃに固定用ネジ１１０を貫通させ、モータハウジング４０と共にステータ３１、ファンガイド４１をハウジング１０Ａに固定することができる。更にこの構造にロータ３２、モータカバー４２を装着することができる。
【００２１】
動作時には、ファン３２Ｃの回転に際し、ファンガイド仕切板４１の左側の空間を左から右に向かって冷却風が流れる。これにより、高温となりやすいステータコイル３１Ａ、３１Ｂ、ロータコイル部３２Ｂや、ロータ３２の摩擦部分が冷却される。その後、冷却風は、通風開口部４１Ｄを通り、ファンガイド仕切板４１の右側に流れ、遠心ファンであるファン３２Ｃにより、回転軸から見て外側に向かって流される。この外側に冷却風ガイド部４１Ｃが設けられているため、冷却風は、冷却風ガイド部４１の内面をファン３２Ｃの回転方向に沿って流れる。
【００２２】
図５は、このチェーンソー１のファン３２Ｃ付近の構成を右側から見た透視図である。図５においてファン３２Ｃ（ロータ３２）は反時計回りに回転するため、ファンガイド仕切板４１Ｂ（通風開口部４１Ｄ）よりも右側の空間で、冷却風は冷却風ガイド部４１Ｃで覆われた内部を反時計回りに流れる。
【００２３】
ここで、上記の構成においては、冷却風の流れは通風開口部４１Ｄを右側に向かって流れる際に絞られ、ここで流速が高まるために、冷却風が右方向に流れ通風開口部４１Ｄを通過する際に、騒音が発生する。特に、ステータコイル３１Ａ、３１Ｂ、ロータコイル部３２Ｂ等の冷却効率を高めるために冷却風の流速を高くし流量を高めた場合には、この騒音は大きくなるため、冷却効率を高めることと、騒音を低減することとは、トレードオフの関係にある。上記のチェーンソー１においては、冷却効率を高く維持した上で、騒音が小さくなるように、通風開口部４１Ｄが設定される。以下に、この点について説明する。
【００２４】
図６は、参考例となるファンガイド１４１（ａ）、上記のファンガイド４１（ｂ）をそれぞれ右側から見た側面図を示す。参考例となるファンガイド１４１においては、通風開口部の形状が異なる点以外の構成は、前記のファンガイド４１と同様であり、ここでファンガイド仕切板４１Ｂに設けられた通風開口部１４１Ｄは、単純な円形状とされており、その中心に回転軸Ｘが位置する。この構成では、冷却される構造物の影響がなければ冷却風は通風開口部１４１Ｄの内部を一様に流れるが、実際にはロータ３２の上下にステータコイル３１Ａ、３１Ｂがあり、上下においてはステータコイル３１Ａ、３１Ｂが冷却されると共に、風路を遮る。このため、実際には、右側に向かう冷却風の流量は、上下で小さく、前後で大きくなる。このため、冷却風の流れが一様とならず、局所的に流速が大きくなる箇所が発生し、この箇所で通風開口部１４１Ｄの内面と冷却風とが接することによって、特に大きな騒音が発生した。
【００２５】
特に、チェーンソーを小型とした場合には、冷却風の流路が制限され、通風開口部１４１Ｄの開口面積が制限される。特に、ファンガイド１４１やステータ３１をハウジング１０に固定する構造の場合には、通風開口部１４１Ｄの外側においてファンガイド１４１を固定する必要があるため、通風開口部１４１Ｄの開口面積は制限されるため、騒音は顕著となる。
【００２６】
これに対して、上記のファンガイド４１においては、通風開口部４１Ｄの前後方向（第３の方向）に沿った内径Ｌを前記のファンガイド１４１（通風開口部１４１Ｄ）と同等とし、上下方向（第２の方向）に沿った内径Ｍを、これよりも広くしている。ここで、前後方向（短径方向）、上下方向（長径方向）のそれぞれにおいて、回転軸Ｘから見たこの通風開口部４１Ｄの形状は対称である。このため、通風開口部４１Ｄの上下においては、前記の通風開口部１４１Ｄよりも大きくなる。すなわち、通風開口部４１Ｄは、前後方向が短径方向とされ、上下方向が長径方向とされた形状とされる。
【００２７】
このため、ステータコイル３１Ａ、３１Ｂがあるにも関わらず通風開口部４１Ｄの開口面積が前記の通風開口部１４１Ｄよりも実質的に大きくなり、冷却風全体は通風開口部４１Ｄを通って右側へ流れやすくなる。このため、通風開口部４１Ｄの内面と接する冷却風の流速は通風開口部１４１Ｄを通る場合と比べて全体的に低下する。特に、通風開口部１４１Ｄの場合に流れにくかった上下において冷却風が流れやすくなったために、非対称な形状とされた通風開口部４１Ｄを用いることによって、冷却風の流れは一様となる。このため、通風開口部４１Ｄの開口面積が制限された場合でも、局所的に冷却風の流速が高くなる箇所は発生しにくくなり、騒音が低下する。
【００２８】
この際、ステータコイル３１Ａ、３１Ｂが設けられた上下において冷却風が流れやすくなるため、ステータコイル３１Ａ、３１Ｂの冷却効率も向上する。同様に、回転するロータコイル部３２Ｂの冷却効率も高まる。
【００２９】
すなわち、通風開口部４１Ｄを上記のような縦長の形状として、ステータコイル３１Ａ、３１Ｂの設けられた通風開口部４１Ｄの上下において冷却風を局所的に流れやすくすることによって、冷却風が通風開口部４１Ｄを通過する際の騒音が低下するとともに、モータ３０における冷却効率を高く維持することができる。
【００３０】
ここで、図５に示されるように、ロータ３２の回転軸から見て、冷却風ガイド部４１Ｃは、ファン３２Ｃの外周における領域（一領域）Ｒ以外の領域でファン３２Ｃを覆い、領域Ｒではファン３２Ｃを覆わない。また、冷却風ガイド部４１Ｃは、ファン３２Ｃの回転における下流側である前方において前方に向かって延伸する冷却風ガイド部延伸部４１Ｃ１を具備する。また、図１（ｃ）、図５に示されるように、ハウジング１０Ｂの下側から前方にかけては複数の排気口１２０が領域Ｒに設けられている。このため、冷却風は、冷却風ガイド部４１Ｃの内面に沿って反時計回りに流れた後に、排気口１２０から下側斜め前方に向かって排出される。
【００３１】
ここで、ステータコイル３１Ａ、３１Ｂの冷却効率を高くするためには、ステータコイル３１Ａ、３１Ｂを冷却した冷却風は、速やかに排気口１２０から排出されることが好ましい。一方で、領域Ｒ（排気口１２０）は、ハウジング１０Ａにおける特定の箇所、あるいはロータ３２の回転軸から見た特定の方向にしか設けることができないため、ステータコイル３１Ａ、３１Ｂを冷却した冷却風が排気口１２０から排出されるまでの風路長の長さは異なり、一方が短くなるような構成とすれば他方は長くなる。このため、モータ３０（ステータ３１）の冷却効率を高めるためには、長くされた側の風路長を短くすることが必要である。
【００３２】
図５において、下側のステータコイル３１Ｂを冷却した後の冷却風は、下側に設けられ近傍に存在する領域Ｒにおいてすぐに排気口１２０から排出されるため、この風路長は極めて短くなる。一方、上側のステータコイル３１Ａを冷却した後の冷却風は、図５において冷却風ガイド部４１Ｃの内面を反時計回りに約半周してから同様に領域Ｒにおいて排気口１２０から排出される。この場合、冷却されてから排出されるまでの冷却風の風路長が長いのは上側のステータコイル３１Ａであり、その風路長は、図５において冷却風ガイド部４１Ｃの内面を構成する円の半周以下となる。一方、仮に排気口１２０が設けられる領域Ｒをロータ３２の回転軸の周りで９０°回転させた場合、すなわち、前方から上方にかけて、あるいは後方から下方にかけて領域Ｒを設けた場合には、ステータコイル３１Ａ、３１Ｂのうち、冷却されてから排出されるまでの冷却風の風路長が長くなる側においては、その風路長は上記の円の半周よりも長くなる。図５の構成においては、領域Ｒを下側（下方から前方側）に設定したことによって、この風路長の最大長さをこの円の半周以下とすることができる。これによって、ステータコイル３１Ａ、３１Ｂの冷却効率を共に高めることができる。すなわち、領域Ｒ、排気口１２０は、通風開口部４１Ｄの長手方向に沿った側に設けることが好ましい。
【００３３】
また、この際、領域Ｒ以外の、冷却風ガイド部４１Ｃで覆われた領域では、冷却風は排出されない。特に、冷却風ガイド部４１Ｃの前方には、前方（一方の側）に向かって延伸する冷却風ガイド部延伸部４１Ｃ１が設けられているため、図５において、ファン３２Ｃは反時計回りに回転するものの、冷却風が上側に排出することは抑制される。このため、冷却風は、下方から前方にかけての狭い範囲にわたり排出される。
【００３４】
図１の構成において、通常は、リアハンドル１１及びフロントハンドル１２を上側から把持した状態で作業者はガイドバー２０（ソーチェーン）の後方に位置する。このため、上方あるいは後方に冷却風が排出される場合には、モータ３０を冷却した後の冷却風が作業者に当たる場合があり、この場合には、作業者が快適に作業を行うことが困難となる。
【００３５】
これに対して、上記のチェーンソー１においては、図５に示されるように、冷却風は確実に下方から前方に向けて排出されるため、作業者が快適に作業を行うことができる。また、高い冷却効率でモータ３０を冷却した上でこのように冷却風を下方から前方に排出するためには、前記の通り、通風開口部４１Ｄの長手方向を上下方向とし、これに応じてステータコイル３１Ａ、３１Ｂを通風開口部４１Ｄの上下にそれぞれ設けた上記の構成が好ましい。
【００３６】
また、通風開口部４１Ｄをこうした形状とした場合には、通風開口部４１Ｄの短手方向の両側において、ボス部４１Ｅ（固定用ネジ貫通孔４１Ｆ）を設け、これを用いて図２に示されるように、モータ３０をハウジング１０Ａに固定することができる。このため、装置全体を小型化した上で、ファンガイド４１等をハウジング１０に確実に固定することができる。
【００３７】
なお、上記のチェーンソー１においては、通風開口部４１Ｄは、図６（ｂ）に示されたような、円形の左右両側が直線形状で切り取られた縦長の形状とされた。しかしながら、上下方向における開口幅が広く、左右方向における開口幅がこれよりも狭くなる形状であれば、同様の効果を奏することは明らかである。例えば、通風開口部を楕円形、角部が曲線加工された略矩形形状としてもよい。また、回転軸Ｘは、通風開口部４１Ｄの短径方向（内径が短い方向）、長径方向（内径が長い方向）のそれぞれにおける対称点と必ずしも同一である必要はなく、実質的にこれと近い位置に回転軸Ｘがあるように構成されれば、同様の効果を奏することは明らかである。
【００３８】
また、上記の通風開口部４１Ｄにおいては、前後方向がその短径方向（内径が短い方向）、上下方向がその長径方向（内径が長い方向）とされた。しかしながら、この設定はモータの構造に応じて最適なように行われる。例えば、上記の例では、ステータコイル（磁束発生手段）が上下方向に沿った２箇所に設けられたが、ステータコイルを上下方向だけでなく他の方向においても設けることができる。この場合には、通風開口部を、上記の長径方向が複数存在するような形状とすることができる。この場合の内径は、回転面上において通風開口部の回転軸を通る内径として定義される。この場合、通風開口部を、上記のように短径方向と長径方向とが直交する形状とする必要はない。
【００３９】
ただし、上側から作業者に把持されて用いられるチェーンソーのような電動作業機においては、上記のチェーンソー１のように上下方向にステータコイルを設け通風開口部を縦長の形状とした場合には、冷却風を用いた冷却を効率的に行い、かつ作業の支障とならないように冷却風を下方から前方にかけて排出できるため、特に有効である。
【００４０】
また、上記の構成では、モータ３０やファンガイド４１をハウジング１０に固定する際に、モータハウジング４０が用いられた。しかしながら、モータハウジングを用いずに、これらを直接ハウジングに装着してもよい。ただし、ステータをハウジングに対して固定する一方で、これらに対して回転自在に支持する必要があるロータを装着する場合には、上記のようにモータハウジングを介してモータやファンガイドを装着することにより、組立が容易、かつ組み立て精度が高まる。
【００４１】
また、上記の例では、電動作業機がチェーンソーであるものとしたが、同様にモータが用いられ、モータが冷却（空冷）される電動作業機であれば、同様の構成が有効であることは明らかである。
【符号の説明】
【００４２】
１  チェーンソー（電動作業機）
１０、１０Ａ、１０Ｂ  ハウジング
１１  リアハンドル
１１Ａ  スイッチ
１２  フロントハンドル
１３  ハンドガード
１４  テンションダイヤル
２０  ガイドバー
３０  モータ
３１  ステータ
３１Ａ、３１Ｂ  ステータコイル（磁束発生手段）
３１Ｃ、４１Ｆ  固定用ネジ貫通孔
３２  ロータ
３２Ａ  モータ軸
３２Ｂ  ロータコイル
３２Ｃ  ファン
３２Ｃ１  ファン羽根
４０  モータハウジング
４１、１４１  ファンガイド
４１Ａ  ステータ嵌合部
４１Ｂ  ファンガイド仕切板（仕切部）
４１Ｃ  冷却風ガイド部
４１Ｃ１  冷却風ガイド部延伸部
４１Ｄ、１４１Ｄ  通風開口部
４１Ｅ  ボス部（固定部）
４２  モータカバー
１００  給電コード
１１０  固定用ネジ（固定具）
１２０  排気口
Ｘ  回転軸
【図１】
0006455226.tif 000002
【図２】
0006455226.tif 000003
【図３】
0006455226.tif 000004
【図４】
0006455226.tif 000005
【図５】
0006455226.tif 000006
【図６】
0006455226.tif 000007